(57)【特許請求の範囲】
【請求項１】
試料が載置されるステージと、
前記試料に対峙して配置された対物レンズと、
前記ステージの位置又は前記対物レンズの位置を前記対物レンズの光軸方向に駆動する駆動手段と、
前記試料の光像を画像取得用の第１の光路及び焦点制御用の第２の光路に分岐する光分岐手段を含む導光光学系と、
前記第１の光路に分岐された第１の光像による第１の画像データを取得する第１の撮像手段と、
前記第２の光路に分岐された第２の光像による第２の画像データの２次元画像を取得可能な第２の撮像手段と、
前記第２の画像データを解析し、その解析結果に基づいて前記駆動手段による前記ステージの位置又は前記対物レンズの位置の変更を制御する焦点制御手段と、
前記第２の撮像手段の撮像面に、前記第２の光像の一部画像データを取得する第１の撮像領域及び第２の撮像領域を設定する領域制御手段と、
前記第２の光路に配置され、前記撮像面の面内方向に沿って前記第２の光像に光路差を生じさせる光路差生成部材と、を備え、
前記領域制御手段は、前記第１の撮像手段に入射する前記第１の光像と共役な光像が入射する領域と前記第１の撮像領域との間の間隔と、前記第１の撮像手段に入射する前記第１の光像と共役な光像が入射する領域と前記第２の撮像領域との間の間隔とが異なるように前記第１の撮像領域の位置及び前記第２の撮像領域の位置を設定することを特徴とする画像取得装置。
【請求項２】
前記ステージを所定の速度で走査するステージ制御手段を更に備え、
前記領域制御手段は、前記第１の撮像手段に入射する前記第１の光像と共役な光像が入射する領域に対して前記撮像面における前記試料の走査方向の手前側に位置するように前記第１の撮像領域の位置及び前記第２の撮像領域の位置を設定することを特徴とする請求項１記載の画像取得装置。
【請求項３】
前記光路差生成部材は、前記撮像面の面内方向に沿って連続的に厚さが変化する部分を有する部材であり、
前記領域制御手段は、前記光路差生成部材の厚みの異なる部分に重なるように前記第１の撮像領域と前記第２の撮像領域とを設定することを特徴とする請求項１又は２記載の画像取得装置。
【請求項４】
前記焦点制御手段による制御に基づいて、前記試料に対する前記対物レンズの位置を相対的に制御する対物レンズ制御手段を備え、
前記対物レンズ制御手段は、前記焦点制御手段による焦点位置の解析実行中は前記対物レンズの駆動を行わず、前記焦点制御手段による焦点位置の解析非実行中に前記対物レンズを前記試料に対して一方向に移動させることを特徴とする請求項１〜３のいずれか一項記載の画像取得装置。
【請求項５】
試料が載置されるステージと、
前記試料に対峙して配置された対物レンズと、
前記ステージの位置又は前記対物レンズの位置を前記対物レンズの光軸方向に駆動する駆動手段と、
前記試料の光像を画像取得用の第１の光路及び焦点制御用の第２の光路に分岐する光分岐手段を含む導光光学系と、
前記第１の光路に分岐された第１の光像による第１の画像データを取得する第１の撮像手段と、
前記第２の光路に分岐された第２の光像による第２の画像データの２次元画像を取得可能な第２の撮像手段と、
前記第２の画像データを解析し、その解析結果に基づいて前記駆動手段による前記ステージの位置又は前記対物レンズの位置の変更を制御する焦点制御手段と、を備えた画像取得装置のフォーカス方法であって、
前記第２の撮像手段の撮像面に、前記第２の光像の一部画像データを取得する第１の撮像領域及び第２の撮像領域を設定し、
前記撮像面の面内方向に沿って前記第２の光像に光路差を生じさせる光路差生成部材を前記第２の光路に配置し、
領域制御手段によって、前記第１の撮像手段に入射する前記第１の光像と共役な光像が入射する領域と前記第１の撮像領域との間の間隔と、前記第１の撮像手段に入射する前記第１の光像と共役な光像が入射する領域と前記第２の撮像領域との間の間隔とが異なるように前記第１の撮像領域の位置及び前記第２の撮像領域の位置を設定することを特徴とする画像取得装置のフォーカス方法。
【請求項６】
前記画像取得装置は、
前記ステージを所定の速度で走査するステージ制御手段を備え、
前記領域制御手段により、前記第１の撮像手段に入射する前記第１の光像と共役な光像が入射する領域に対して前記撮像面における前記試料の走査方向の手前側に位置するように前記第１の撮像領域の位置及び前記第２の撮像領域の位置を設定することを特徴とする請求項５記載の画像取得装置のフォーカス方法。
【請求項７】
前記光路差生成部材として、前記撮像面の面内方向に沿って連続的に厚さが変化する部分を有する部材を用い、
前記領域制御手段によって、前記光路差生成部材の厚みの異なる部分に重なるように前記第１の撮像領域と前記第２の撮像領域とを設定することを特徴とする請求項５又は６記載の画像取得装置のフォーカス方法。
【請求項８】
前記画像取得装置は、
前記焦点制御手段による制御に基づいて、前記試料に対する前記対物レンズの位置を相対的に制御する対物レンズ制御手段を備え、
前記対物レンズ制御手段によって、前記焦点制御手段による焦点位置の解析実行中は前記対物レンズの駆動を行わず、前記焦点制御手段による焦点位置の解析非実行中に前記対物レンズを前記試料に対して一方向に移動させることを特徴とする請求項５〜７のいずれか一項記載の画像取得装置のフォーカス方法。
【発明の詳細な説明】
【技術分野】
【０００１】
本発明は、試料等の画像取得に用いられる画像取得装置及びそのフォーカス方法に関する。
【背景技術】
【０００２】
画像取得装置として、例えば試料の撮像領域を予め複数の領域に分割し、各分割領域を高倍率で撮像した後、これらを合成するバーチャル顕微鏡装置がある。このようなバーチャル顕微鏡での画像取得では、従来、生体サンプルなどの試料の画像を取得する際の撮像条件として、試料の全領域を対象とする焦点マップが設定され、焦点マップに基づく焦点制御を行いつつ試料の画像取得が行われている。
【０００３】
焦点マップの作成には、まず、マクロ光学系を備える画像取得装置を用い、試料全体をマクロ画像として取得する。次に、取得したマクロ画像を用い、試料の撮像範囲を設定すると共に、撮像範囲を複数の分割領域に分割し、各分割領域に対して焦点取得位置を設定する。焦点取得位置の設定の後、ミクロ光学系を備える画像取得装置に試料を移し、設定された焦点取得位置における焦点位置を取得し、これらの焦点位置から焦点マップを作成する。
【０００４】
しかしながら、このような焦点マップを作成するにあたっては、処理に時間を要するという問題があった。また、取得する焦点の間隔や数を抑えれば処理に要する時間は短縮されるが、その場合にはフォーカス精度が低下するという問題があった。そのため、焦点位置を取得しつつ試料の高倍率画像を取得するダイナミックフォーカスの開発が進められている。この方式は、画像取得用の撮像装置に入射する光像よりも前に焦点が合った光像（前ピン）と、後に焦点が合った光像（後ピン）との光強度差或いはコントラスト差に基づいて現在の対物レンズの高さに対する焦点位置のずれ方向を検出し、ずれをキャンセルする方向に対物レンズを移動させて画像を取得する方式である。
【０００５】
例えば特許文献１に記載の顕微鏡システムでは、第１の撮像手段が撮像する領域よりも手前の領域を撮像する第２の撮像手段と、第２の撮像手段で撮像された画像に基づいて、第１の撮像手段の撮像位置での対物レンズの合焦位置を調整する自動合焦制御手段と、分割領域間の距離と試料の移動速度とに応じて、分割領域が第２の撮像手段の撮像位置から第１の撮像手段の撮像位置まで移動するタイミングと、第２の撮像手段で撮像された分割領域の結像位置を第１の撮像手段の撮像面に位置させるタイミングとを揃えるタイミング制御手段とが設けられている。また、例えば特許文献２，３に記載の顕微鏡装置では、ガラス部材を用いて焦点制御用の導光光学系内での光路長差を形成している。
【先行技術文献】
【特許文献】
【０００６】
【特許文献１】特開２０１１−０８１２１１号公報
【特許文献２】再公表特許ＷＯ２００５／１１４２８７号公報
【特許文献３】再公表特許ＷＯ２００５／１１４２９３号公報
【発明の概要】
【発明が解決しようとする課題】
【０００７】
上述した特許文献１に記載の顕微鏡システムでは、ハーフミラー及びミラーを用いることによって光路差光学系を形成し、第２の撮像手段の２つの撮像領域に対して光路長の異なる光をそれぞれ入射させている。この従来の顕微鏡システムでは、例えばラインセンサによって第１の撮像手段及び第２の撮像手段を構成している。ラインセンサでは露光時間が短いため、鮮明な画像を取得するために光量の確保が重要となるのに対し、この従来の顕微鏡システムでは、光路差光学系で光を分岐させているため、光量の確保が難しくなるという問題がある。
【０００８】
また、この従来の顕微鏡システムでは、光路分岐手段の光学面を傾斜させることにより、第２の撮像手段で撮像される領域が第１の撮像手段で撮像される領域に対して試料のスキャン方向の手前側となるように調整され、焦点位置のずれ方向の先行取得を行っている。しかしながら、このような構成では、光学面の調整が難しいという問題がある。さらに、ハーフミラー及びミラーで光路差光学系を構成しているので、光路差光学系を経た光が第２の撮像手段の撮像面に収まり難いという問題もある。
【０００９】
本発明は、上記課題の解決のためになされたものであり、簡単な構成で焦点位置のずれ方向を先行取得でき、試料の焦点位置を精度良く検出できる画像取得装置及びそのフォーカス方法を提供することを目的とする。
【課題を解決するための手段】
【００１０】
上記課題の解決のため、本発明に係る画像取得装置は、試料が載置されるステージと、試料に対峙して配置された対物レンズと、ステージの位置又は対物レンズの位置を対物レンズの光軸方向に駆動する駆動手段と、試料の光像を画像取得用の第１の光路及び焦点制御用の第２の光路に分岐する光分岐手段を含む導光光学系と、第１の光路に分岐された第１の光像による第１の画像データを取得する第１の撮像手段と、第２の光路に分岐された第２の光像による第２の画像データの２次元画像を取得可能な第２の撮像手段と、第２の画像データを解析し、その解析結果に基づいて駆動手段によるステージの位置又は対物レンズの位置の変更を制御する焦点制御手段と、第２の撮像手段の撮像面に、第２の光像の一部画像データを取得する第１の撮像領域及び第２の撮像領域を設定する領域制御手段と、第２の光路に配置され、撮像面の面内方向に沿って第２の光像に光路差を生じさせる光路差生成部材と、を備え、領域制御手段は、第１の撮像手段に入射する第１の光像と共役な光像が入射する領域と第１の撮像領域との間の間隔と、第１の撮像手段に入射する第１の光像と共役な光像が入射する領域と第２の撮像領域との間の間隔とが異なるように第１の撮像領域の位置及び第２の撮像領域の位置を設定することを特徴としている。
【００１１】
この画像取得装置では、第２の光路に光路差生成部材が配置されていることにより、第２の撮像手段の第１の撮像領域及び第２の撮像領域において、第１の撮像手段に入射する光像よりも前に焦点が合った光像（前ピン）と、後に焦点が合った光像（後ピン）とをそれぞれ撮像することができる。この画像取得装置では、焦点制御用の第２の光路での光の分岐を行わずに光路長差を形成できるので、焦点位置の情報を得るために必要な第２の光路への光量が抑えられ、第１の撮像手段での撮像を行う際の光量を確保できる。また、第１の撮像手段に入射する第１の光像と共役な光像が入射する領域と第１の撮像領域との間の間隔と、第１の撮像手段に入射する第１の光像と共役な光像が入射する領域と第２の撮像領域との間の間隔とが異なるので、第１の撮像領域及び第２の撮像領域における露光時間を十分に確保できる。
【００１２】
また、領域制御手段は、第１の撮像手段に入射する第１の光像と共役な光像が入射する領域に対して撮像面における試料の走査方向の手前側に位置するように第１の撮像領域の位置及び第２の撮像領域の位置を設定することが好ましい。これにより、簡単な構成で焦点位置のずれ方向を先行取得できる。
【００１３】
また、光路差生成部材は、撮像面の面内方向に沿って連続的に厚さが変化する部分を有する部材であり、領域制御手段は、光路差生成部材の厚みの異なる部分に重なるように第１の撮像領域と第２の撮像領域とを設定することが好ましい。この場合、第１の撮像領域の位置と第２の撮像領域の位置とを調整することで、前ピンと後ピンとの間隔を自在に調整できる。これにより、試料の焦点位置を精度良く検出することが可能となる。
【００１４】
また、焦点制御手段による制御に基づいて、試料に対する対物レンズの位置を相対的に制御する対物レンズ制御手段を備え、対物レンズ制御手段は、焦点制御手段による焦点位置の解析実行中は対物レンズの駆動を行わず、焦点制御手段による焦点位置の解析非実行中に対物レンズを試料に対して一方向に移動させることが好ましい。この場合、焦点位置の解析中に対物レンズと試料との位置関係が変化しないので、焦点位置の解析精度を担保できる。
【００１５】
また、本発明に係る画像取得装置のフォーカス方法は、試料が載置されるステージと、試料に対峙して配置された対物レンズと、ステージの位置又は対物レンズの位置を対物レンズの光軸方向に駆動する駆動手段と、試料の光像を画像取得用の第１の光路及び焦点制御用の第２の光路に分岐する光分岐手段を含む導光光学系と、第１の光路に分岐された第１の光像による第１の画像データを取得する第１の撮像手段と、第２の光路に分岐された第２の光像による第２の画像データの２次元画像を取得可能な第２の撮像手段と、第２の画像データを解析し、その解析結果に基づいて駆動手段によるステージの位置又は対物レンズの位置の変更を制御する焦点制御手段と、を備えた画像取得装置のフォーカス方法であって、第２の撮像手段の撮像面に、第２の光像の一部画像データを取得する第１の撮像領域及び第２の撮像領域を設定し、撮像面の面内方向に沿って第２の光像に光路差を生じさせる光路差生成部材を第２の光路に配置し、領域制御手段によって、第１の撮像手段に入射する第１の光像と共役な光像が入射する領域と第１の撮像領域との間の間隔と、第１の撮像手段に入射する第１の光像と共役な光像が入射する領域と第２の撮像領域との間の間隔とが異なるように第１の撮像領域の位置及び第２の撮像領域の位置を設定することを特徴としている。
【００１６】
この画像取得装置のフォーカス方法では、第２の光路に光路差生成部材を配置することにより、第２の撮像手段の第１の撮像領域及び第２の撮像領域において、第１の撮像手段に入射する光像よりも前に焦点が合った光像（前ピン）と、後に焦点が合った光像（後ピン）とをそれぞれ撮像することができる。このフォーカス方法では、焦点制御用の第２の光路での光の分岐を行わずに光路長差を形成できるので、焦点位置の情報を得るために必要な第２の光路への光量が抑えられ、第１の撮像手段での撮像を行う際の光量を確保できる。また、第１の撮像手段に入射する第１の光像と共役な光像が入射する領域と第１の撮像領域との間の間隔と、第１の撮像手段に入射する第１の光像と共役な光像が入射する領域と第２の撮像領域との間の間隔とを異ならせるので、第１の撮像領域及び第２の撮像領域における露光時間を十分に確保できる。
【００１７】
また、領域制御手段により、第１の撮像手段に入射する第１の光像と共役な光像が入射する領域に対して撮像面における試料の走査方向の手前側に位置するように第１の撮像領域の位置及び第２の撮像領域の位置を設定することが好ましい。これにより、簡単な構成で焦点位置のずれ方向を先行取得できる。
【００１８】
また、光路差生成部材として、撮像面の面内方向に沿って連続的に厚さが変化する部分を有する部材を用い、領域制御手段によって、光路差生成部材の厚みの異なる部分に重なるように第１の撮像領域と第２の撮像領域とを設定することが好ましい。この場合、第１の撮像領域の位置と第２の撮像領域の位置とを調整することで、前ピンと後ピンとの間隔を自在に調整できる。これにより、試料の焦点位置を精度良く検出することが可能となる。
【００１９】
また、画像取得装置は、焦点制御手段による制御に基づいて、試料に対する対物レンズの位置を相対的に制御する対物レンズ制御手段を備え、対物レンズ制御手段によって、焦点制御手段による焦点位置の解析実行中は対物レンズの駆動を行わず、焦点制御手段による焦点位置の解析非実行中に対物レンズを試料に対して一方向に移動させることが好ましい。この場合、焦点位置の解析中に対物レンズと試料との位置関係が変化しないので、焦点位置の解析精度を担保できる。
【発明の効果】
【００２０】
本発明によれば、簡単な構成で焦点位置のずれ方向を先行取得でき、試料の焦点位置を精度良く検出できる。
【図面の簡単な説明】
【００２１】
【図１】本発明に係る画像取得装置を構成するマクロ画像取得装置の一実施形態を示す図である。
【図２】本発明に係る画像取得装置を構成するミクロ画像取得装置の一実施形態を示す図である。
【図３】画像取得装置の機能的な構成要素を示すブロック図である。
【図４】試料の表面までの距離が対物レンズの焦点距離に一致している場合のコントラスト値の解析結果を示す図である。
【図５】試料の表面までの距離が対物レンズの焦点距離よりも長い場合のコントラスト値の解析結果を示す図である。
【図６】試料の表面までの距離が対物レンズの焦点距離よりも短い場合のコントラスト値の解析結果を示す図である。
【図７】光路差生成部材及び第２の撮像装置の一例を示す図である。
【図８】光路差生成部材及び第２の撮像装置の別の例を示す図である。
【図９】光路差生成部材及び第２の撮像装置の更に別の例を示す図である。
【図１０】光路差生成部材及び第２の撮像装置の更に別の例（順方向）を示す図である。
【図１１】光路差生成部材及び第２の撮像装置の更に別の例（逆方向）を示す図である。
【図１２】光路差生成部材及び第２の撮像装置の更に別の例（順方向）を示す図である。
【図１３】光路差生成部材及び第２の撮像装置の更に別の例（逆方向）を示す図である。
【図１４】光路差生成部材の変形例を示す図である。
【図１５】ステージの走査時間に対する対物レンズと試料の表面との距離の関係を示す図である。
【図１６】ステージ制御部によるステージの走査方向の制御を示す図である。
【図１７】ステージ制御部によるステージの走査速度の制御を示す図である。
【図１８】画像取得装置の動作を示すフローチャートである。
【発明を実施するための形態】
【００２２】
以下、図面を参照しながら、本発明に係る画像取得装置及び画像取得装置のフォーカス方法の好適な実施形態について詳細に説明する。
【００２３】
図１は、本発明に係る画像取得装置を構成するマクロ画像取得装置の一実施形態を示す図である。また、図２は、本発明に係る画像取得装置を構成するミクロ画像取得装置の一実施形態を示す図である。図１及び図２に示すように、画像取得装置Ｍは、試料Ｓのマクロ画像を取得するマクロ画像取得装置Ｍ１と、試料Ｓのミクロ画像を取得するミクロ画像取得装置Ｍ２とによって構成されている。画像取得装置Ｍは、マクロ画像取得装置Ｍ１で取得したマクロ画像に対して例えばライン状の複数の分割領域４０（図９参照）を設定し、各分割領域４０をミクロ画像取得装置Ｍ２で高倍率に取得して合成することにより、バーチャルマイクロ画像を生成する装置である。
【００２４】
マクロ画像取得装置Ｍ１は、図１に示すように、試料Ｓが載置されるステージ１を備えている。ステージ１は、例えばステッピングモータ（パルスモータ）或いはピエゾアクチュエータなどのモータやアクチュエータによって水平方向に駆動するＸＹステージである。画像取得装置Ｍで観察する試料Ｓは、例えば細胞などの生体サンプルであり、スライドガラスに密封された状態でステージ１に載置される。このステージ１をＸＹ面内で駆動させることにより、試料Ｓに対する撮像位置を移動させることができる。また、ステージ１は、マクロ画像取得装置Ｍ１とミクロ画像取得装置Ｍ２との間を往復可能となっており、両装置間で試料Ｓを搬送する機能を有している。なお、ステージ１は、マクロ画像取得装置Ｍ１及びミクロ画像取得装置Ｍ２の双方にそれぞれ設けておいてもよい。
【００２５】
ステージ１の底面側には、試料Ｓに向けて光を照射する光源２と、光源２からの光を試料Ｓに集光する集光レンズ３とが配置されている。光源２は、試料Ｓに向けて斜めに光を照射するように配置されていてもよい。また、ステージ１の上面側には、試料Ｓからの光像を導光する導光光学系４と、試料Ｓの光像を撮像する撮像装置５とが配置されている。導光光学系４は、試料Ｓからの光像を撮像装置５の撮像面に結像させる結像レンズ６を有している。また、撮像装置５は、例えば２次元画像を取得可能なエリアセンサである。撮像装置５は、導光光学系４を経て撮像面に入射した試料Ｓの光像の全体画像を取得し、後述のバーチャルマイクロ画像格納部３９に格納する。
【００２６】
ミクロ画像取得装置Ｍ２は、図２に示すように、ステージ１の底面側にマクロ画像取得装置Ｍ１と同様の光源１２及び集光レンズ１３を有している。また、ステージ１の上面側には、試料Ｓからの光像を導光する導光光学系１４が配置されている。光源１２からの光を試料Ｓに照射させる光学系には、試料Ｓに励起光を照射するための励起光照射光学系や試料Ｓの暗視野画像を取得するための暗視野照明光学系を採用してもよい。
【００２７】
導光光学系４は、試料Ｓと対峙して配置された対物レンズ１５と、対物レンズ１５の後段に配置されたビームスプリッタ（光分岐手段）１６とを有している。対物レンズ１５には、ステージ１の載置面に直交するＺ方向に対物レンズ１５を駆動するステッピングモータ（パルスモータ）或いはピエゾアクチュエータなどのモータやアクチュエータが設けられている。これらの駆動手段によって対物レンズ１５のＺ方向の位置を変えることにより、試料Ｓの画像取得における撮像の焦点位置が調整可能になっている。なお、焦点位置の調整は、ステージ１のＺ方向の位置を変えてもよく、対物レンズ１５及びステージ１の双方のＺ方向の位置を変えてもよい。
【００２８】
ビームスプリッタ１６は、試料Ｓの光像を画像取得用の第１の光路Ｌ１と焦点制御用の第２の光路Ｌ２とに分岐する部分である。このビームスプリッタ１６は、光源１２からの光軸に対しておよそ４５度の角度で配置されており、図２において、ビームスプリッタ１６を通過する光路が第１の光路Ｌ１となっており、ビームスプリッタ１６で反射する光路が第２の光路となっている。
【００２９】
第１の光路Ｌ１には、ビームスプリッタ１６を通過した試料Ｓの光像（第１の光像）を結像させる結像レンズ１７と、結像レンズ１７の結像位置に撮像面を配置した第１の撮像装置（第１の撮像手段）１８とが配置されている。第１の撮像装置１８は、試料Ｓの第１の光像による１次元画像（第１の画像）を取得可能な装置であり、例えばＴＤＩ（Ｔｉｍｅ  Ｄｅｌａｙ  Ｉｎｔｅｇｒａｔｉｏｎ）駆動が可能な２次元ＣＣＤセンサやラインセンサが用いられる。また、ステージ１を一定の速度で制御しながら、試料Ｓの画像を順次取得する方式であれば、第１の撮像装置１８は、ＣＭＯＳセンサやＣＣＤセンサなどの２次元画像を取得可能な装置であってもよい。第１の撮像装置１８で撮像された第１の画像は、レーンバッファなどの一時保存メモリに順次保存された後、圧縮されて後述の画像生成部３８に出力される。
【００３０】
一方、第２の光路Ｌ２には、ビームスプリッタ１６で反射した試料の光像（第２の光像）を縮小する視野調整レンズ１９と、第２の撮像装置（第２の撮像手段）２０とが配置されている。また、第２の撮像装置２０の前段には、第２の光像に光路差を生じさせる光路差生成部材２１が配置されている。視野調整レンズ１９は、第２の光像が第１の光像と同程度の大きさで第２の撮像装置２０に結像するように構成されていることが好ましい。また、光路差生成部材２１は、第２の撮像装置２０と対向する面が第２の撮像装置の撮像面（受光面）２０ａと平行となるように配置されることが好ましい。これにより、第２の撮像装置２０と対向する面による光の屈折を低減でき、第２の撮像装置２０で受光する光量を確保することができる。
【００３１】
第２の撮像装置２０は、試料Ｓの第２の光像による２次元画像（第２の画像）を取得可能な装置であり、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）やＣＣＤ（Ｃｈａｒｇｅ  Ｃｏｕｐｌｅｄ  Ｄｅｖｉｃｅ）などの２次元センサが用いられる。
【００３２】
第２の撮像装置２０の撮像面２０ａは、第２の光路Ｌ２に直交するＸＺ面と略一致するように配置されている。この撮像面２０ａには、第２の光像の一部画像を取得する第１の撮像領域２２Ａ及び第２の撮像領域２２Ｂが設定されている（例えば図７参照）。第１の撮像領域２２Ａ及び第２の撮像領域２２Ｂは、試料Ｓの走査に伴う撮像面２０ａ上での第２の光像の移動方向（走査方向：Ｚ方向）に対して垂直となる向きに設定される。第１の撮像領域２２Ａと第２の撮像領域２２Ｂとは、所定の間隔をもって設定されており、いずれも第２の光像の一部をライン状に取得する。これにより、第１の撮像装置１８で取得される試料Ｓの第１の光像と同じ領域の光像を第２の光像として第１の撮像領域２２Ａ及び第２の撮像領域２２Ｂで取得できる。
【００３３】
これにより、第２の撮像装置２０では、第１の撮像領域２２Ａの位置と第２の撮像領域２２Ｂの位置に基づいて、第１の撮像装置１８に入射する第１の光像よりも前に焦点が合った光像（前ピン）と、後に焦点が合った光像（後ピン）とを取得できる。前ピンと後ピンとの間のフォーカス差は、第１の撮像領域２２Ａに入射する第２の光像が通過する光路差生成部材２１の厚さ及び屈折率と、第２の撮像領域２２Ｂに入射する第２の光像が通過する光路差生成部材２１の厚さ及び屈折率との差に依存する。光路差生成部材２１の形状、及び撮像面２０ａにおける第１の撮像領域２２Ａと第２の撮像領域２２Ｂとの配置の例については後述する。
【００３４】
図３は、画像取得装置の機能的な構成要素を示すブロック図である。同図に示すように、画像取得装置Ｍは、ＣＰＵ、メモリ、通信インタフェイス、ハードディスクといった格納部、キーボードなどの操作部３１、モニタ３２等を備えたコンピュータシステムを備え、制御部３３の機能的な構成要素として、焦点制御部３４と、領域制御部３５と、対物レンズ制御部３６と、ステージ制御部３７と、画像生成部３８と、バーチャルマイクロ画像格納部３９とを備えている。
【００３５】
焦点制御部３４は、第２の撮像装置２０で取得した第２の画像を解析し、その解析結果に基づいて第１の撮像装置１８による撮像の焦点位置を制御する部分である。より具体的には、焦点制御部３４は、まず、第２の撮像装置２０において、第１の撮像領域２２Ａで取得した画像のコントラスト値と、第２の撮像領域２２Ｂで取得した画像のコントラスト値との差分を求める。
【００３６】
ここで、図４に示すように、試料Ｓの表面に対して対物レンズ１５の焦点位置が合っている場合、第１の撮像領域２２Ａで取得した前ピンの画像コントラスト値と第２の撮像領域２２Ｂで取得した後ピンの画像コントラスト値とが略一致し、これらの差分値はほぼゼロとなる。
【００３７】
一方、図５に示すように、試料Ｓの表面までの距離が対物レンズ１５の焦点距離よりも長い場合、第１の撮像領域２２Ａで取得した前ピンの画像コントラスト値よりも第２の撮像領域２２Ｂで取得した後ピンの画像コントラスト値の方が大きくなり、これらの差分値はプラスとなる。この場合、焦点制御部３４は、対物レンズ制御部３６に対し、対物レンズ１５を試料Ｓに近づける向きに駆動する旨の指示情報を出力する。
【００３８】
また、図６に示すように、試料Ｓの表面までの距離が対物レンズ１５の焦点距離よりも短い場合、第１の撮像領域２２Ａで取得した前ピンの画像コントラスト値よりも第２の撮像領域２２Ｂで取得した後ピンの画像コントラスト値の方が小さくなり、これらの差分値はマイナスとなる。この場合、焦点制御部３４は、対物レンズ制御部３６に対し、対物レンズ１５を試料Ｓに遠ざける向きに駆動する旨の指示情報を出力する。
【００３９】
領域制御部３５は、第２の撮像装置２０の撮像面２０ａにおける第１の撮像領域２２Ａの位置及び第２の撮像領域２２Ｂの位置を制御する部分である。領域制御部３５は、操作部３１からの操作に基づき、予め設定された位置にまず第１の撮像領域２２Ａを設定し、第１の撮像領域２２Ａでの撮像が行われた後、第１の撮像領域２２Ａの設定を解除する。次に、第１の撮像領域２２ＡからＺ方向（走査方向）に所定の間隔をもって第２の撮像領域２２Ｂを設定し、第２の撮像領域２２Ｂでの撮像が行われた後、第２の撮像領域２２Ｂの設定を解除する。
【００４０】
このとき、第１の撮像領域２２Ａでの撮像から第２の撮像領域２２Ｂでの撮像までの待ち時間Ｗは、第１の撮像領域２２Ａと第２の撮像領域２２Ｂとの間の間隔ｄと、ステージ１の走査速度ｖに基づいて設定される。例えば、待ち時間Ｗを第１の撮像領域２２Ａでの撮像開始から第２の撮像領域２２Ｂでの撮像開始までの時間Ｗ１とすると、第１の撮像領域２２Ａでの撮像の露光時間ｅｌ、第１の撮像領域２２Ａの設定を解除してから第２の撮像領域２２Ｂを設定するまでの時間ｓｔを考慮して、Ｗ１＝ｄ／ｖ−ｅｌ−ｓｔで求めることができる。
【００４１】
また、待ち時間Ｗを第１の撮像領域２２Ａでの撮像完了から第２の撮像領域２２Ｂでの撮像開始までの待ち時間Ｗ２とすると、第１の撮像領域２２Ａの設定を解除してから第２の撮像領域２２Ｂを設定するまでの時間ｓｔを考慮して、Ｗ２＝ｄ／ｖ−ｓｔで求めることができる。また、第１の撮像領域２２Ａと第２の撮像領域２２Ｂとの間の間隔ｄは、光路差生成部材２１によって生じる光路長差に基づいて設定される。ただし、この間隔ｄは、実際には試料Ｓのスライド上の距離に対応しており、最終的には間隔ｄを第２の撮像領域２２Ｂの画素数に変換する必要がある。第２の撮像装置２０の画素サイズをＡＦｐｓｚ、倍率をＡＦｍａｇとした場合、間隔ｄに対応する画素数ｄｐｉｘは、ｄｐｉｘ＝ｄ÷（ＡＦｐｓｚ／ＡＦｍａｇ）で求められる。
【００４２】
また、領域制御部３５は、撮像面２０ａにおける第１の撮像領域２２Ａの位置及び第２の撮像領域２２Ｂの位置を設定するにあたり、第１の撮像装置１８に入射する第１の光像と共役な光像が入射する領域に対して撮像面２０ａにおける試料Ｓの走査方向の手前（上手）側に位置するように、第１の撮像領域２２Ａの位置及び第２の撮像領域２２Ｂの位置を設定する。すなわち、領域制御部３５は、第２の撮像装置２０の第１の撮像領域２２Ａ及び第２の撮像領域２２Ｂの試料Ｓ上における撮像位置が、第１の撮像装置１８での試料Ｓ上における撮像位置の手前側（第１の撮像装置１８でこれから撮像される位置）となるように、第１の撮像領域２２Ａの位置及び第２の撮像領域２２Ｂの位置を設定する（図１７（ａ）参照）。
【００４３】
このような、第１の撮像領域２２Ａの位置と第２の撮像領域２２Ｂの位置との設定により、図７に示すように、第１の撮像装置１８に入射する第１の光像と共役な光像が入射する領域２２Ｃと第１の撮像領域２２Ａとの間の間隔、及び第１の撮像装置１８に入射する第１の光像と共役な光像が入射する領域２２Ｃと第２の撮像領域２２Ｂとの間の間隔が異なることとなる。このため、第１の撮像領域２２Ａ及び第２の撮像領域２２Ｂでの露光時間を十分確保することができる。
【００４４】
第１の撮像領域２２Ａ及び第２の撮像領域２２Ｂの設定は、光路差生成部材２１の形状に応じて適宜実行される。例えば図７に示す例では、平板形状のガラス部材で形成された光路差生成部材２１Ａが、撮像面２０ａにおけるＺ方向の下半分領域に重なるように配置されている。撮像面２０ａにおいて、第１の撮像装置１８に入射する第１の光像と共役な光像が入射する領域２２Ｃは、撮像面２０ａの下半分領域の略中央部分に位置している。ステージ１による試料Ｓの走査に伴い、撮像面２０ａの視野では、試料Ｓは＋Ｚ方向に移動する。
【００４５】
そして、第１の撮像領域２２Ａと第２の撮像領域２２Ｂとは、いずれも領域２２Ｃに対して−Ｚ方向側に設定され、第１の撮像領域２２Ａは、光路差生成部材２１Ａと重ならない撮像面２０ａの上半分領域に設定され、第２の撮像領域２２Ｂは、光路差生成部材２１Ａと重なる撮像面２０ａの下半分領域に設定されている。なお、光路差生成部材２１Ａのエッジ部分Ｅは、撮像面２０ａにおける第２の光像の影２３を形成するおそれがある。したがって、影２３を避けた位置に第１の撮像領域２２Ａと第２の撮像領域２２Ｂとを設定することが好適である。
【００４６】
また、例えば図８に示す例では、撮像面２０ａと略同面積の平板形状のガラス部材と撮像面２０ａの下半分領域と略同面積の平板形状のガラス部材とを重ね合わせた光路差生成部材２１Ｂが、撮像面２０ａに重なるように配置されている。そして、第１の撮像領域２２Ａと第２の撮像領域２２Ｂとは、いずれも領域２２Ｃに対して−Ｚ方向側に設定され、第１の撮像領域２２Ａは、ガラス部材１枚分の厚さで光路差生成部材２１Ｂと重なる撮像面２０ａの上半分領域に設定され、第２の撮像領域２２Ｂは、ガラス部材２枚分の厚さで光路差生成部材２１Ｂと重なる撮像面２０ａの下半分領域に設定されている。
【００４７】
この場合も、光路差生成部材２１Ｂのエッジ部分Ｅは、撮像面２０ａにおける第２の光像の影２３を形成するおそれがある。したがって、影２３を避けた位置に第１の撮像領域２２Ａと第２の撮像領域２２Ｂとを設定することが好適である。
【００４８】
また、例えば図９に示す例では、＋Ｚ方向に行くに従って厚みが連続的に増加するプリズム状のガラス部材からなる光路差生成部材２１Ｃが撮像面２０ａに重なるように配置されている。そして、第１の撮像装置１８に入射する第１の光像と共役な光像が入射する領域２２Ｃが撮像面２０ａの略中央部分に位置し、＋Ｚ方向に沿って、第１の撮像領域２２Ａ、第２の撮像領域２２Ｂ、領域２２Ｃがこの順番で設定されている。
【００４９】
この場合、第１の撮像領域２２Ａの位置及び第２の撮像領域２２Ｂの位置をＺ方向に対して調整することで、第１の撮像領域２２Ａに入射する第２の光像が通過する光路差生成部材２１Ｃの厚さと、第２の撮像領域２２Ｂに入射する第２の光像が通過する光路差生成部材２１Ｃの厚さとを変えることができる。これにより、前ピンと後ピンとの間のフォーカス差を調整することができる。また、フォーカス差が光路差生成部材２１内での屈折率差によっても変化することも考慮する必要がある。
【００５０】
また、Ｚ方向について厚さが対称となるように光路差生成部材２１を配置すれば、試料Ｓの走査方向が反転した場合であっても第１の撮像領域２２Ａの位置と第２の撮像領域２２Ｂの位置とを領域２２Ｃについて対称となる位置に変更することで、試料Ｓの双方向の走査を実行できる。例えば図１０及び図１１に示す例では、図７と同様の平板形状の光路差生成部材２１Ｄが撮像面２０ａのＺ方向の中心に一致するように配置されている。また、第１の撮像装置１８に入射する第１の光像と共役な光像が入射する領域２２Ｃは、撮像面２０ａにおけるＺ方向の中心に一致するように位置している。
【００５１】
そして、図１０に示すように、試料Ｓが＋Ｚ方向に走査される場合には、撮像面２０ａの上半分領域において、第１の撮像領域２２Ａは、光路差生成部材２１Ｄと重ならない領域に設定され、第２の撮像領域２２Ｂは、光路差生成部材２１Ｄと重なる領域に設定される。また、図１１に示すように、試料Ｓが−Ｚ方向に走査される場合には、撮像面２０ａの下半分領域において、第１の撮像領域２２Ａは、光路差生成部材２１Ｄと重ならない領域に設定され、第２の撮像領域２２Ｂは、光路差生成部材２１Ｄと重なる領域に設定される。
【００５２】
また、図１２及び図１３に示す例では、Ｚ方向の中心に向かって連続的に厚みが増加するプリズム状のガラス部材からなる光路差生成部材２１Ｅが撮像面２０ａのＺ方向の中心に一致するように配置されている。また、第１の撮像装置１８に入射する第１の光像と共役な光像が入射する領域２２Ｃは、撮像面２０ａにおけるＺ方向の中心に一致するように位置している。
【００５３】
そして、図１２に示すように、試料Ｓが＋Ｚ方向に走査される場合には、撮像面２０ａの上半分領域において、第１の撮像領域２２Ａが上側、第２の撮像領域２２Ｂが下側となるように設定される。また、図１３に示すように、試料Ｓが−Ｚ方向に走査される場合には、撮像面２０ａの下半分領域において、第１の撮像領域２２Ａが下側、第２の撮像領域２２Ｂが上側となるように設定される。
【００５４】
試料Ｓの双方向の走査を行う場合の光路差生成部材２１は、例えば図１４（ａ）に示すように、Ｚ方向の中央部分が一定の厚みを有し、Ｚ方向の両端部が外側に向かうに従って厚みが減少する光路差生成部材２１Ｆを用いてもよく、例えば図１４（ｂ）に示すように、断面直角三角形のプリズム状をなす２つのガラス部材からなる光路差生成部材２１Ｇを、撮像面２０ａのＺ方向の両端部側から中央側に向かって厚みが減少するように配置してもよい。
【００５５】
なお、撮像面２０ａにおいて、第１の撮像装置１８に入射する第１の光像と共役な光像が入射する領域２２Ｃの位置を設定する場合、まず、ステージ１に対する対物レンズ１５の距離を固定し、キャリブレーションスライドのクロスラインが第１の撮像装置１８の視野の中心に位置するようにステージ１の位置を調整する。次に、キャリブレーションスライドのクロスラインが第２の撮像装置２０の視野に入るように、第２の撮像装置２０のバックフォーカスを調整する。最後に、キャリブレーションスライドのクロスラインが第２の撮像装置２０の撮像面２０ａの所望の位置に来るように、第２の撮像装置２０の面内方向の位置を調整する。
【００５６】
対物レンズ制御部３６は、対物レンズ１５の駆動を制御する部分である。対物レンズ制御部３６は、焦点制御部３４から出力される指示情報を受け取ると、指示情報の内容に従って、対物レンズ１５をＺ方向に駆動させる。これにより、試料Ｓに対する対物レンズ１５の焦点位置が調整される。
【００５７】
なお、対物レンズ制御部３６は、焦点制御部３４による焦点位置の解析中は対物レンズ１５の駆動は行わず、また、次の焦点位置の解析が開始されるまで、対物レンズ１５をＺ方向に沿って一方向にのみ駆動させる。図１５は、ステージの走査時間に対する対物レンズと試料の表面との距離の関係を示す図である。同図に示すように、試料Ｓの走査中は、焦点位置の解析期間Ａと、解析結果に基づく対物レンズ駆動期間Ｂとが交互に生じることとなる。
【００５８】
ステージ制御部３７は、ステージ１の駆動を制御する部分である。より具体的には、ステージ制御部３７は、操作部３１からの操作に基づき、試料Ｓが載置されたステージ１を所定の速度で走査させる。このステージ１の走査により、第１の撮像装置１８及び第２の撮像装置２０での試料Ｓの撮像視野が相対的に順次移動する。ステージ１の走査方向は、図１６（ａ）に示すように、一つの分割領域４０の走査が終了する度にステージ１の位置を走査開始位置まで戻してから次の分割領域４０を同一方向に走査する一方向走査であってもよく、図１６（ｂ）に示すように、一つの分割領域４０の走査が終了した後、ステージ１を走査方向と直交する方向に移動させて次の分割領域４０を反対方向に走査する双方向走査であってもよい。
【００５９】
また、画像取得の間のステージ１の走査速度は一定であるが、実際には走査の開始直後にステージ１の振動等の影響によって走査速度が不安定な期間が存在する。このため、図１７に示すように、分割領域４０よりも長い走査幅を設定し、ステージ１が加速する加速期間Ｃ、ステージ１の走査速度が安定化するまでの安定化期間Ｄ、及びステージ１が減速する減速期間Ｆのそれぞれが、分割領域４０よりも外側を走査しているときに生じるようにすることが好ましい。これにより、ステージ１の走査速度が一定となる一定速度期間Ｅに合わせて画像取得を行うことが可能となる。なお、安定化期間Ｄ中に撮像を開始し、画像取得後に安定化期間Ｄ中に取得したデータ部分を削除するようにしてもよい。このような手法は、データの空読みが必要な撮像装置を用いる場合に好適である。
【００６０】
画像生成部３８は、取得した画像を合成してバーチャルマイクロ画像を生成する部分である。画像生成部３８は、第１の撮像装置１８から出力される第１の画像、すなわち、各分割領域４０の画像を順次受け取り、これらを合成して試料Ｓの全体の画像を合成する。そして、この合成画像に基づいてこれよりも低い解像度の画像を作成し、高解像度の画像と低解像度の画像とを関連付けてバーチャルマイクロ画像格納部３９に格納する。バーチャルマイクロ画像格納部３９では、マクロ画像取得装置Ｍ１で取得した画像も更に関連付けてもよい。バーチャルマイクロ画像は、１枚の画像として格納してもよく、複数に分割された画像として格納してもよい。
【００６１】
続いて、上述した画像取得装置Ｍの動作について説明する。
【００６２】
図１８は、画像取得装置Ｍの動作を示すフローチャートである。同図に示すように、画像取得装置Ｍでは、まず、マクロ画像取得装置Ｍ１による試料Ｓのマクロ画像の取得がなされる（ステップＳ０１）。取得したマクロ画像は、例えば所定の閾値を用いて二値化された後、モニタ３２に表示され、所定のプログラムを用いた自動設定又は操作者による手動設定により、マクロ画像の中からミクロ画像を取得する範囲が設定される（ステップＳ０２）。
【００６３】
次に、試料Ｓがミクロ画像取得装置Ｍ２側に移送され、焦点取得条件の設定がなされる（ステップＳ０３）。ここでは、上述したように、ステージ１の走査速度ｖ、第１の撮像領域２２Ａと第２の撮像領域２２Ｂとの間の間隔ｄとに基づいて、第２の撮像領域２２Ｂでの撮像が開始されるまでの待ち時間Ｗを設定する。より好ましくは、第１の撮像領域２２Ａでの撮像の露光時間ｅｌ、及び第１の撮像領域２２Ａの設定を解除してから第２の撮像領域２２Ｂを設定するまでの時間ｓｔ等を考慮する。
【００６４】
焦点取得条件を設定した後、ステージ１の走査を開始し、ミクロ画像取得装置Ｍ２による試料Ｓの分割領域４０ごとのミクロ画像の取得がなされる（ステップＳ０４）。第１の撮像装置１８でのミクロ画像の取得の際、第２の撮像装置２０では第１の撮像領域２２Ａ及び第２の撮像領域２２Ｂによって前ピンのコントラスト値と後ピンのコントラスト値の差分に基づいて試料Ｓに対する対物レンズ１５のずれ量が解析され、対物レンズ１５の位置の調整がリアルタイムで実行される。全ての分割領域４０についてミクロ画像の取得が完了した後、取得したミクロ画像が合成され、バーチャルマイクロ画像が生成される（ステップＳ０５）。
【００６５】
以上説明したように、画像取得装置Ｍでは、第２の光路Ｌ２に光路差生成部材２１が配置されていることにより、第２の撮像装置２０の第１の撮像領域２２Ａ及び第２の撮像領域２２Ｂにおいて、第１の撮像装置１８に入射する光像よりも前に焦点が合った光像（前ピン）と、後に焦点が合った光像（後ピン）とをそれぞれ撮像することができる。この画像取得装置Ｍでは、焦点制御用の第２の光路Ｌ２での光の分岐を行わずに、光路長差を形成できるため、焦点位置の情報を得るために必要な第２の光路Ｌ２への光量が抑えられ、第１の撮像装置１８で撮像を行う際の光量を十分に確保できる。
【００６６】
また、この画像取得装置Ｍでは、第２の撮像装置２０の撮像面２０ａにおける第１の撮像領域２２Ａの位置と第２の撮像領域２２Ｂの位置とを、第１の撮像装置１８に入射する第１の光像と共役な光像が入射する領域２２Ｃに対して撮像面２０ａにおける試料Ｓの走査方向の手前側に位置させている。これにより、第１の撮像装置１８での撮像のタイミングよりも前に第２の撮像装置２０での撮像結果を取得できるので、簡単な構成で対物レンズ１５の焦点位置のずれ方向を先行取得できる。
【００６７】
また、この画像取得装置Ｍでは、ステージの走査速度ｖと、第１の撮像領域２２Ａと第２の撮像領域２２Ｂとの間の間隔ｄとに基づいて、第１の撮像領域２２Ａでの撮像完了から第２の撮像領域２２Ｂでの撮像開始までの待ち時間Ｗが設定される。したがって、第２の撮像装置２０における露光時間が十分に確保され、対物レンズ１５の焦点位置の制御を精度良く実施できる。
【００６８】
本実施形態の光路差生成部材として、平板形状のガラス部材からなる光路差生成部材２１を用いる場合には、光路差生成部材の構成を簡単化できる。この場合、平板部材のエッジ部分Ｅは、第２の撮像装置２０の撮像面２０ａにおける第２の光像の影２３を形成するので、影２３を避けて第１の撮像領域２２Ａと第２の撮像領域２２Ｂを設定することで、対物レンズ１５の焦点位置の制御の精度を担保できる。
【００６９】
また、本実施形態の光路差生成部材として、第２の撮像装置２０における撮像面２０ａの面内方向に沿って厚みが変化する部分を有するガラス部材からなる光路差生成部材２１を用いる場合、領域制御部３５によって第１の撮像領域２２Ａの位置と第２の撮像領域２２Ｂの位置とを調整することで、前ピンと後ピンとの間隔を自在に調整できる。これにより、例えば第２の撮像装置２０で撮像した画像のコントラストのピークが複数存在する場合やピーク形状が平らである場合などに、前ピンと後ピンとのフォーカス差を調整することによって試料Ｓの焦点位置を精度良く検出することが可能となる。
【００７０】
上述した実施形態では、バーチャルマイクロ画像を生成する装置を例示したが、本発明に係る画像取得装置は、ステージ等によって試料を所定の速度で走査しながら画像を取得する装置であれば、種々の装置に適用することができる。
【符号の説明】
【００７１】
１…ステージ、１２…光源、１４…導光光学系、１５…対物レンズ、１６…ビームスプリッタ（光分岐手段）、１８…第１の撮像装置（第１の撮像手段）、２０…第２の撮像装置（第２の撮像手段）、２０ａ…撮像面、２１（２１Ａ〜２１Ｇ）…光路差生成部材、２２Ａ…第１の撮像領域、２２Ｂ…第２の撮像領域、２２Ｃ…第１の光像と共役な光像が入射する領域、２３…影、３４…焦点制御部（焦点制御手段）、３５…領域制御部（領域制御手段）、３６…対物レンズ制御部（対物レンズ制御手段）、Ｅ…エッジ部分、Ｌ１…第１の光路、Ｌ２…第２の光路、Ｍ…画像取得装置、Ｍ１…マクロ画像取得装置、Ｍ２…ミクロ画像取得装置、Ｓ…試料。
【図１】
0005986041.tif 000002
【図２】
0005986041.tif 000003
【図３】
0005986041.tif 000004
【図４】
0005986041.tif 000005
【図５】
0005986041.tif 000006
【図６】
0005986041.tif 000007
【図７】
0005986041.tif 000008
【図８】
0005986041.tif 000009
【図９】
0005986041.tif 000010
【図１０】
0005986041.tif 000011
【図１１】
0005986041.tif 000012
【図１２】
0005986041.tif 000013
【図１３】
0005986041.tif 000014
【図１４】
0005986041.tif 000015
【図１５】
0005986041.tif 000016
【図１６】
0005986041.tif 000017
【図１７】
0005986041.tif 000018
【図１８】
0005986041.tif 000019